(57)【要約】【課題】  専用の異常挿入検知部を設けなくとも内部の部品を破損しないディスク装置を提供すること。【解決手段】  クランパ機構は、上下に移動することによりディスク２を挟み込むクランパ１０と、このクランパ１０に接続されたクランプアーム１１と、このクランプアーム１１に設けた軸１５と嵌合するカム１３ａを有する制御スライダ１３とを備え、この制御スライダ１３の移動によりクランプアーム１１が回動することによりクランパ１０を上下に移動させる構成において、ディスク２を挟み込む方向とは反対の方向にクランパ１０に力が加わった際、クランプアーム１１または制御スライダ１３の少なくとも一方が撓むことにより、クランプアーム１１の軸１５が制御スライダ１３のカム１３ａから外れる構成とする。【選択図】図５
2012108970.tif 000002
【特許請求の範囲】
【請求項１】
ディスク挿脱口を有した本体ケースと、
前記ディスク挿脱口に挿入したディスクを搬送する搬送ローラと、この搬送ローラにより前記ディスクをディスク収納位置に搬送し、前記ディスク収納位置において前記ディスクを挟み込むクランパ機構を有するトラバースシャーシとを備え、
前記クランパ機構は、上下に移動することにより前記ディスクを挟み込むクランパと、このクランパに接続されたクランプアームと、このクランプアームに設けた軸と嵌合するカムを有する制御スライダとを備え、
この制御スライダの移動により前記クランプアームが回動することにより前記クランパを上下に移動させる構成において、
前記ディスクを挟み込む方向とは反対の方向に前記クランパに力が加わった際、前記クランプアームまたは前記制御スライダの少なくとも一方が撓むことにより、前記クランプアームの軸が前記制御スライダのカムから外れる構成である光ディスク装置。
【請求項２】
前記制御スライダのカムを構成する壁にテーパーを設けた請求項１に記載の光ディスク装置。
【請求項３】
前記制御スライダのテーパーは、前記本体ケースとの距離が徐々に短くなる構成である請求項２に記載の光ディスク装置。
【請求項４】
前記クランプアームの軸が前記制御スライダのカムから外れている時、前記クランパが前記ディスクを挟み込む方向に前記制御スライダが移動することにより、前記制御スライダのカムのテーパー部と前記本体ケースで前記クランプアームの軸を挟み込み、前記クランプアームの軸が前記制御スライダのカムに嵌合する構成である請求項２に記載の光ディスク装置。
【発明の詳細な説明】
【技術分野】
【０００１】
本発明は、光ディスクが複数枚連続して挿入されることに対応する光ディスク装置、および光ディスク搬送機構に関する。
【背景技術】
【０００２】
光ディスクが複数枚連続して挿入され、光ディスク装置の内部の部品が破損するなどし、光ディスクが取り出し不可能になることがある。これを解決するため、光センサーなどにより、複数枚の光ディスクが挿入されたことを検知すると搬送ローラを停止するなど、事前に光ディスクの異常な挿入による部品の破壊を防止することが提案されている（例えば、特許文献１参照）。
【先行技術文献】
【特許文献】
【０００３】
【特許文献１】特開２００１−１０１７４６号公報
【発明の概要】
【発明が解決しようとする課題】
【０００４】
しかしながら、従来の構造では、複数枚の光ディスクの挿入を検知する光センサーなどの専用の異常挿入検知部が必要であり、生産コストが高くなるとの課題がある。
【０００５】
そこで、本発明は、生産コストを低減することを目的とするものである。
【課題を解決するための手段】
【０００６】
本発明は、ディスク挿脱口を有した本体ケースと、ディスク挿脱口に挿入したディスクを搬送する搬送ローラと、この搬送ローラによりディスクをディスク収納位置に搬送し、ディスク収納位置において前記ディスクを挟み込むクランパ機構を有するトラバースシャーシとを備え、クランパ機構は、上下に移動することによりディスクを挟み込むクランパと、このクランパに接続されたクランプアームと、このクランプアームに設けた軸と嵌合するカムを有する制御スライダとを備え、この制御スライダの移動によりクランプアームが回動することによりクランパを上下に移動させる構成において、ディスクを挟み込む方向とは反対の方向にクランパに力が加わった際、クランプアームまたは制御スライダの少なくとも一方が撓むことにより、クランプアームの軸が制御スライダのカムから外れる構成としたことを特徴とする。
【発明の効果】
【０００７】
本発明は、従来の問題を解決するために、ディスクを挟み込む方向とは反対の方向にクランパに力が加わった際、クランプアームまたは制御スライダの少なくとも一方が撓むことにより、クランプアームの軸が制御スライダのカムから外れる構成としたものである。したがって、ディスクが複数枚連続して挿入された際も、専用の異常挿入検知部を設けなくともディスク装置の内部の部品が変形や破損することはない。したがって、生産コストを低減することができるのである。
【図面の簡単な説明】
【０００８】
【図１】本発明の実施形態にかかるディスク装置を内蔵するカーオーディオ装置の全体斜視図
【図２】同ディスク装置の斜視図
【図３】同ディスク装置に複数枚のディスクが挿入された状態の斜視図
【図４】同ディスク装置に複数枚のディスクが挿入された状態の斜視図
【図５】（ａ）同ディスク装置に複数枚のディスクが挿入された際、部品破損を防ぐ構成を説明する図（ｂ）同ディスク装置に複数枚のディスクが挿入された際、部品破損を防ぐ構成を説明する図（ｃ）同ディスク装置に複数枚のディスクが挿入された際、部品破損を防ぐ構成を説明する図（ｄ）同ディスク装置に複数枚のディスクが挿入された際、部品破損を防ぐ構成を説明する図（ｅ）同ディスク装置に複数枚のディスクが挿入された際、部品破損を防ぐ構成を説明する図
【図６】同ディスク装置の制御スライダの斜視図
【図７】同ディスク装置の制御スライダの斜視図
【図８】（ａ）同ディスク装置の制御スライダおよびクランプアームの斜視図（ｂ）同ディスク装置の制御スライダおよびクランプアームの部分拡大図
【発明を実施するための形態】
【０００９】
以下、本発明の実施の形態のディスク装置１について、図面を用いて説明する。
【００１０】
図１には、本発明の実施の形態のディスク装置１を内蔵するカーオーディオ装置１００の全体斜視図が示されている。このカーオーディオ装置１００では、ディスク装置１のほかにラジオ２０、カセットテープ再生装置３０等を内蔵しており、前面パネル４０には、全機能に共用される表示部４０ａや電源／ボリュームつまみ４０ｂに加えて、ディスク装置１における開閉自在な蓋部１１０ａを備えたディスク挿脱口１１０、ラジオ用のチューニングつまみ２０ａ、カセットテープ挿入口３０ａ等が設けられている。また、内部には、ラジオ２０、カセットテープ再生装置３０、ディスク装置１等を制御する図示しない制御部が設けられている。
【００１１】
図２は、ディスク装置１の斜視図を示し、図３はディスク装置１にディスク２を挿入し、ディスク装置１の内部に搬送中の図を示している。また、図４は、トラバースシャーシ３がよく見えるようにしたディスク装置１の斜視図であり、ディスク２が２枚誤って挿入された状態を示している。
【００１２】
図２、図３、図４、および図５を用いて、ディスク装置１について説明する。
【００１３】
ディスク装置１は、ロアフレーム４の前面に、ディスク２を挿脱するためのディスク挿入口５が設けられている。また、ロアフレーム４の上面にはディスクガイド６が装着されたアッパーフレーム７がねじ止めされ、ロアフレーム４の内部にはダンパー（図示しない）を介してトラバースシャーシ３が装着されている。なお、ロアフレーム４とアッパーフレーム７がねじ止めされたものを本体ケースと呼ぶ。
【００１４】
さらに、図５に示すように、搬送ローラ支持体８は、下側からバネによって上側に与圧することにより、トラバースシャーシ３の前面に支持されている。搬送ローラ支持体８は、左右に取り付けられた軸受（図示しない）を介して金属軸が回転自在に嵌合している。また、金属軸の左端部には、ギアが取り付けられている。このギアを介して駆動ギアが金属軸を回転させることにより、ディスク挿入口５から挿入されたディスク２は、ディスク収納位置へ搬送される。
【００１５】
また、金属軸の左端部にはトラバースシャーシ３に設けた軸を中心に回動するリンクアームが嵌合している。このリンクアームは、後述する制御スライダ１３のカムと嵌合し、制御スライダ１３が前後方向に動くと、搬送ローラ支持体８が回動する。なお、ディスク２は、ディスク挿入口５より挿入され、ディスクガイド６と搬送ローラ９と挟持される。
【００１６】
また、トラバースシャーシ３は、ディスク挿入口５から挿入されたディスク２を保持し
、ディスク２から情報を読み取るディスク再生部を備えている。このディスク再生部は、説明の簡略化のため詳細な構成に関しては図示しないが、ディスク２を回転させるスピンドルモータとターンテーブル、ディスク２の情報を記録再生する光ピックアップ、および当該光ピックアップをディスク２の内周及び外周方向に駆動する機構を備えている。
【００１７】
次に、クランパ１０とクランプアーム１１について説明する。クランパ１０はクランパ押えバネ１２に回転自在に装着されている。クランパ押えバネ１２は、カシメによってクランプアーム１１に装着されおり、クランプアーム１１の左右には、ロアフレーム４の回転軸１４と嵌合する穴１１ａを備えた曲げ形状と、左側の曲げ部には制御スライダ１３のカム１３ａと嵌合する軸１５を備えている。クランプアーム１１は、制御スライダ１３の前後方向の移動により、ロアフレーム４の軸１４を回動中心としてクランパ１０を上下に動作させる。
【００１８】
なお、再生時のディスク２は、クランパ１０とターンテーブルに挟持される。このとき振動や再生時のディスク２の回転ばたつきを押さえるため、クランパ１０は、クランパ押えバネ１２によって上側から与圧されている。
【００１９】
このような構成におけるディスクの挿入動作について説明する。
【００２０】
ディスク挿入口５にディスク２が挿入されると、搬送ローラ９とディスクガイド６の間にディスク２が挟まれたことをセンサが検出する。すると、駆動モータが回転し、ギアを介して搬送ローラ９が回転する。搬送ローラ９の回転とディスクガイド６の与圧による摩擦力によって装置内部にディスク２は引き込まれる。
【００２１】
ディスク２がスピンドルモータと嵌合可能なディスク収納位置まで搬送されると、ディスク２の外周端によってクランプアーム１１に装着されたレバーが作動する。そして、制御スライダ１３に備えられたラックギアが駆動ギアと噛合い、制御スライダ１３は、挿脱口方向へ移動する。制御スライダ１３が挿脱口方向に移動するとクランプアーム１１が回動しクランパ１０がディスク２をスピンドルモータのターンテーブルに定置させる。次に、ディスク２の定置が完了する位置まで制御スライダ１３が移動すると、スイッチ（図示しない）が押されて駆動モータの回転が停止し、ディスク２の再生動作へと移る。
【００２２】
以上が通常のディスク再生動作であるが、次に、図５から図７を用いて、２枚のディスク２が８の字上（少しずれた状態）に重ねられて異常挿入された場合の動作について説明する。
【００２３】
図５の（ａ）から（ｅ）は、クランプアーム１１の軸１５が制御スライダ１３のカム１３ａから外れ、その後、元の状態に戻る様子を示している。図６、図７、図８は、クランプアーム１１の軸１５、および制御スライダ１３のカム１３ａの形状がよく分かるように、斜視図により示したものである。
【００２４】
まず、先に挿入されたディスク２は、ディスク収納位置まで搬送されると、クランプアーム１１に装着されたレバーを回動させる（図５（ａ）の状態）。このとき、後から挿入されたディスク２は、ディスク収納位置まで搬送されていないが、制御スライダ１３の動作が始まりクランパ１０が下降する（図５（ｂ）の状態）。すると、後から挿入されたディスク２はターンテーブルの中心に装着されたセンタリング部材に乗りあげるため、クランパ１０を押し上げる方向に過大な負荷が発生する。
【００２５】
この過大な負荷による部品の破損を防止するため、本実施の形態では、このとき制御スライダ１３およびクランプアーム１１の少なくとも一方が撓むことにより、制御スライダ
１３のカム１３ａからクランプアーム１１の軸１５が外れる構成としている（図５（ｃ）の状態）。
【００２６】
その際、制御スライダ１３は、そのまま通常通りデッキ挿脱口方向に動作して停止する（図５（ｄ）の状態）。しかし、クランプアーム１１の軸１５は、制御スライダ１３のカム１３ａから外れているため、ディスク２にはクランパ１０による与圧がかからない。なお、クランプアーム１１の軸１５が外れる荷重を、再生時のクランパ１０の与圧よりも十分に大きく、部品が弾性変形する範囲内とすることが好ましい。
【００２７】
次に、前述のように、クランプアーム１１の軸１５が、制御スライダ１３のカム１３ａから外れている状態から、ユーザーがディスク排出スイッチを押した際の動作を説明する。
【００２８】
ディスク２は、搬送ローラ９によって、装置内部より排出され、制御スライダ１３がディスク挿入方向に移動する。そして、クランプアーム１１の軸１５が、制御スライダ１３のカム１３ａに接触すると、クランプアーム１１の先端部がアッパーフレーム７に接触する。このとき、クランプアーム１１の軸１５が制御スライダ１３を介してトラバースシャーシ３をロアフレーム４に押し付ける状態となる。更に、制御スライダ１３がディスク挿入方向に移動すると、クランプアーム１１と制御スライダ１３が弾性変形し、クランプアーム１１の軸１５が制御スライダ１３のカム１３ａと再び嵌合する（図５（ｅ）の状態）。
【００２９】
また、制御スライダ１３のカム１３ａを構成する壁にテーパーを設けることにより、クランプアーム１１の軸１５が制御スライダ１３のカム１３ａと嵌合しやすくなる。なお、制御スライダ１３のテーパーは、本体ケースとの距離が徐々に短くなる構成とすることが好ましい。
【００３０】
以上により、ディスク収納位置に複数のディスクが挿入されるなどし、ディスクを挟み込む方向とは反対の方向にクランパ１０に力が加わった際、クランプアーム１１または制御スライダ１３の少なくとも一方が撓むことにより、クランプアーム１１の軸１５が制御スライダ１３のカム１３ａから外れる構成としたものである。したがって、ディスクが複数枚連続して挿入された際も、専用の異常挿入検知部を設けなくとも光ディスク装置の内部の部品が変形や破損することはない。したがって、生産コストを低減することができるのである。
【産業上の利用可能性】
【００３１】
以上のように、本発明にかかるディスク装置は、専用の異常挿入検知部を設けなくとも内部の部品を破損しないディスク装置を提供することが可能である。よって、車載用オーディオ機器などに有用である。
【符号の説明】
【００３２】
１００  カーオーディオ装置
１１０  ディスク挿脱口
１１０ａ  蓋部
２０  ラジオ
２０ａ  チューニングつまみ
３０ａ  カセットテープ挿入口
３０  カセットテープ再生装置
４０  前面パネル
４０ａ  表示部
４０ｂ  電源／ボリュームつまみ
１  ディスク装置
２  ディスク
３  トラバースシャーシ
４  ロアフレーム
５  ディスク挿入口
６  ディスクガイド
７  アッパーフレーム
８  搬送ローラ支持体
９  搬送ローラ
１０  クランパ
１１  クランプアーム
１２  クランパ押えバネ
１３  制御スライダ
１３ａ  カム
１４  回転軸
１５  軸
【図１】
2012108970.tif 000003
【図２】
2012108970.tif 000004
【図３】
2012108970.tif 000005
【図４】
2012108970.tif 000006
【図５】
2012108970.tif 000007
【図６】
2012108970.tif 000008
【図７】
2012108970.tif 000009
【図８】
2012108970.tif 000010